(57)【要約】【課題】顧客端末で読取った身分証明書等の証明書のイメージデータに含まれる取引に必要ない個人情報が漏洩することを防止する。【解決手段】顧客端末１から受信した証明書のイメージデータを表示したオペレータ端末３で取引に不必要な顧客の個人情報が表示された領域を指定し、その領域のイメージデータを所定のデータに置き換えて記憶部５に記憶させてイメージデータに含まれる取引に必要ない個人情報を読取ることができないようにした。【選択図】        図１
2007334679.tif 000002
【特許請求の範囲】
【請求項１】
顧客端末から受信した取引の申込書および証明書のイメージデータを表示するとともに、取引の情報として該イメージデータを記憶部に記憶させるオペレータ端末において、
表示したイメージデータの一部の領域を指定する領域指定手段と、
前記領域指定手段で指定された領域に対応するイメージデータを所定のデータに置き換えて前記記憶部に記憶させる置換手段とを設け、
前記領域指定手段で指定された領域のイメージデータを前記置換手段で所定のデータに置き換えて該イメージデータに含まれる取引に不要な個人情報を読取ることができないようにしたことを特徴とするオペレータ端末。
【請求項２】
請求項１のオペレータ端末において、
前記領域指定手段を、マウス等のポインティング装置としたことを特徴とするオペレータ端末。
【請求項３】
請求項１のオペレータ端末において、
前記領域指定手段を、前記イメージデータの座標および範囲を示す情報を前記記憶部に予め記憶させておき、その情報にしたがって領域を指定する手段としたことを特徴とするオペレータ端末。
【請求項４】
取引の申込書および証明書のイメージデータを読み取る顧客端末と、その顧客端末から受信したイメージデータを表示するとともに、取引の情報として該イメージデータを記憶部に記憶させるオペレータ端末とからなる取引システムにおいて、
表示したイメージデータの一部の領域を指定する領域指定手段と、
前記領域指定手段で指定された領域に対応するイメージデータを所定のデータに置き換えて前記記憶部に記憶させる置換手段とを前記オペレータ端末に設け、
前記領域指定手段で指定された領域のイメージデータを前記置換手段で所定のデータに置き換えて該イメージデータに含まれる取引に不要な個人情報を読取ることができないようにしたことを特徴とする取引システム。
【請求項５】
請求項４の取引システムにおいて、
前記領域指定手段を、マウス等のポインティング装置としたことを特徴とする取引システム。
【請求項６】
請求項４の取引システムにおいて、
前記領域指定手段を、前記イメージデータの座標および範囲を示す情報を前記記憶部に予め記憶させておき、その情報にしたがって領域を指定する手段としたことを特徴とする取引システム。
【発明の詳細な説明】
【技術分野】
【０００１】
本発明は、銀行や消費者金融会社等の係員が操作するオペレータ端末、およびそのオペレータ端末と顧客が操作する顧客端末により借り入れ等の契約処理や相談処理等を行う無人契約システムを代表とする取引システムに関する。
【背景技術】
【０００２】
従来の取引システムは、顧客が顧客端末にセットした申込書や身分証明書のイメージをスキャナで読取り、そのイメージデータを係員が操作するオペレータ端末に送って、このオペレータ端末の表示部に申込書や身分証明書のイメージを表示し、これを係員が確認しながら契約処理や相談処理等を進めるようにしている。
また、係員が表示部に表示された申込書や身分証明書のイメージを確認した後であっても、再び申込書や身分証明書のイメージを確認することができるようにそのイメージデータをオペレータ端末の記憶部に記憶させるようにしている（例えば、特許文献１参照）。
【特許文献１】特開２０００−１４８８３８号公報（段落「００１４」〜段落「００１５」、図３）
【発明の開示】
【発明が解決しようとする課題】
【０００３】
しかしながら、上述した従来の技術においては、いわゆる個人情報保護法の施行により個人情報の安全管理措置が必要である状況の下、オペレータ端末の記憶部に記憶される身分証明書等のイメージデータには契約等の取引で本人確認等を行なう上で直接必要とされない顧客の個人情報が含まれることがあり、その取引に必要とされない個人情報が第三者に読み取られて漏洩する場合もあるという問題がある。
【０００４】
本発明は、このような問題を解決することを課題とする。
【課題を解決するための手段】
【０００５】
そのため、本発明は、顧客端末から受信した取引の申込書および証明書のイメージデータを表示するとともに、取引の情報として該イメージデータを記憶部に記憶させるオペレータ端末において、表示したイメージデータの一部の領域を指定する領域指定手段と、前記領域指定手段で指定された領域に対応するイメージデータを所定のデータに置き換えて前記記憶部に記憶させる置換手段とを設け、前記領域指定手段で指定された領域のイメージデータを前記置換手段で所定のデータに置き換えて該イメージデータに含まれる取引に不要な個人情報を読取ることができないようにしたことを特徴とする。
【発明の効果】
【０００６】
このようにした本発明は、身分証明書等の証明書のイメージデータに含まれる取引に必要とされない個人情報が漏洩することを防止することができるという効果が得られる。
【発明を実施するための最良の形態】
【０００７】
以下、図面を参照して本発明によるオペレータ端末および取引システムの実施例を説明する。
【実施例】
【０００８】
図１は実施例における取引システムの構成を示すブロック図である。
図１において、１は顧客端末であり、消費者金融会社等の無人店舗に設置され、顧客が操作するものである。この顧客端末１は顧客の操作を受け付けて融資等の契約処理を行うためのものである。なお、構成の詳細は後述する。
３はオペレータ端末であり、消費者金融会社等のリモート受付センタ等のセンタに設置され、その消費者金融会社等の係員であるオペレータ等が操作するものである。このオペレータ端末３は通信回線２を介して顧客端末１と相互に通信可能に接続され、顧客端末１から受信した情報をディスプレイ等の表示部に表示させ、契約処理を行うためのものである。なお、構成の詳細は後述する。
【０００９】
４は運用管理サーバであり、消費者金融会社等のセンタに設置され、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御を行う制御部、磁気ディスク、半導体メモリ等の記憶部５、ＣＲＴ（Ｃａｔｈｏｄｅ  Ｒａｙ  Ｔｕｂｅ）、液晶ディスプレイ等の表示部、キーボード、マウス等の入力部および通信回線２を介して各種データの通信制御を行う通信制御部等を備えるものである。
【００１０】
この運用管理サーバ４は、顧客が操作する顧客端末１から契約処理を要求する電文を受信し、その契約処理を行うオペレータ端末３を顧客端末１に振り分ける機能、またオペレータ端末３から契約日時、契約内容を示す情報や申込書および証明書（身分証明書等）のイメージデータ等からなる契約取引処理の情報を記憶部５に記憶させる機能等を有するものである。
【００１１】
なお、この運用管理サーバ４は表示部および操作部を備えないものであってもよい。また、契約処理の情報を記憶させる記憶部５はオペレータ端末３に備えるようにしてもよい。
このように取引システムは顧客端末１、オペレータ端末３、運用管理サーバ４、および記憶部５等で構成され、顧客端末１、オペレータ端末３、および運用管理サーバ４は通信回線２を介して通信可能に接続されている。
【００１２】
次に、顧客端末１の構成を説明する。
図２は実施例における顧客端末の構成を示すブロック図である。
図２において、１１はタッチパネル入力付表示部であり、顧客の操作による入力を受け付け、所定の処理を実行させるタッチパネルを有し、顧客に対するガイダンス等を表示するディスプレイを備えたものである。
【００１３】
１２は証明書スキャナ部であり、イメージセンサ等により読取り位置にセットされた顧客の自動車運転免許証、健康保険証、外国人登録証明書やパスポート等の身分を証明することができる証明書のイメージデータを読み取るものである。
１３は申込書読取印字部であり、イメージセンサ等により申込書を読み取る申込書読取部および印字機構により申込書や契約書に印字を行う印字部からなるものである。
【００１４】
１４はカード発行部であり、磁気ストライプまたはＩＣカードのＩＣチップ等に必要事項を記録して顧客にカードを発行するものである。
１５は撮影部であり、顧客を撮影するレンズ付ＣＣＤ（Ｃｈａｒｇｅ  Ｃｏｕｐｌｅｄ  Ｄｅｖｉｃｅｓ）カメラ等で構成されたものである。
１６は通話部であり、音声を出力する音声出力部および音声を入力する音声入力部を備えたハンドセット等の通話機で構成されたものである。
【００１５】
１７は記憶部であり、メモリや磁気ディスク等で構成されたものである。この記憶部１７は顧客端末１全体を制御する制御プログラム（ソフトウェア）やタッチパネル入力付表示部１１に表示する画面データ等を記憶する。
１８は制御部であり、図示しないＣＰＵ等の演算および制御手段を備え、記憶部１７に記憶された制御プログラム（ソフトウェア）にしたがって、タッチパネル入力付表示部１１、証明書スキャナ部１２、申込書読取印字部１３、カード発行部１４、撮影部１５、通話部１６、記憶部１７、および通信回線２を介して画像データ、音声データ等の各種データの通信制御を行う図示しない通信制御部等含め顧客端末１全体を制御するものである。
【００１６】
次に、オペレータ端末３の構成を説明する。
図３は実施例におけるオペレータ端末の構成を示すブロック図である。
図３において、２１は表示部であり、顧客端末１から受信した申込書や証明書のイメージデータや顧客を撮影した画像データを表示する液晶ディスプレイ等で構成されたものである。
【００１７】
２２は操作部であり、キーボード、およびマウス等のポインティング装置等で構成されたものある。
２３は通話部であり、音声を出力する音声出力部および音声を入力する音声入力部を備えたハンドセットやヘッドセット等の通話機で構成されたものである。
２４は記憶部であり、メモリや磁気ディスク等で構成されたものである。この記憶部２４はオペレータ端末３全体を制御する制御プログラム（ソフトウェア）や表示部２１に表示する画面データ等を記憶する。
【００１８】
２５は制御部であり、図示しないＣＰＵ等の演算および制御手段を備え、記憶部２４に記憶された制御プログラム（ソフトウェア）にしたがって、表示部２１、操作部２２、通話部２３、記憶部２４、および通信回線２を介して画像データ、音声データ等の各種データの通信制御を行う図示しない通信制御部等含めオペレータ端末３全体を制御するものである。
【００１９】
このように構成されたオペレータ端末３は、顧客端末１との間で音声データの授受を行い、オペレータ端末３を操作するオペレータが顧客端末１を操作する顧客と通話を行うことを可能にするとともに、顧客端末１の申込書読取印字部１３で読取った申込書のイメージデータや証明書スキャナ部１２で読取った証明書のイメージデータ、および撮影部１５で撮影した顧客の画像データを受信して表示部２１に表示することが可能になっている。
【００２０】
上述した構成の作用について説明する。
なお、以下に説明する各部の動作は、図示しないメモリや磁気ディスク等の記憶手段に格納されたプログラム（ソフトウェア）に基づいて図示しない中央処理装置等の制御手段により制御される。
図４は実施例における取引処理を示すフローチャートであり、図中Ｓで表すステップにしたがって説明する。
【００２１】
まず、顧客の接近を顧客端末１の図示しないセンサで検知すると制御部１８の指示によりタッチパネル入力付表示部１１は「カードローン契約」、「カード発行」、「カード再発行」等の取引を選択することができるメニュー画面を表示する。
顧客端末１のタッチパネル入力付表示部１１が取引を選択する画面を表示すると顧客は希望する取引を選択して入力する。入力を受け付けたタッチパネル入力付表示部１１は制御部１８の指示によりご案内画面を経て申込書を読取り位置にセットすることを誘導する申込書読取誘導画面を表示する。なお、申込書には、顧客の氏名、住所、生年月日、連絡先、および取引に必要な項目等がレイアウトされており顧客が記入するものとする。
【００２２】
この申込書読取誘導画面は「申込書を読取り位置にセットして開始ボタンを押してください。」等の文言および申込書の読取りを開始させる「開始」ボタン等で構成されたものである。なお、「開始」ボタンは「セット完了」ボタンとして表示してもよい。
Ｓ１：この申込書読取誘導画面にしたがって顧客は申込書を読取り位置にセットし、「開始」ボタンを押下するものとする。
【００２３】
「開始」ボタンの押下をタッチパネル入力付表示部１１で受け付けると制御部１８の指示により申込書読取印字部１３は申込書を読取る。制御部１８は読取った申込書のイメージデータをオペレータ端末３へ送信する。
Ｓ２：オペレータ端末３の制御部２５は受信した申込書のイメージデータを記憶部２４に記憶させ、表示部２１は制御部２５の指示により記憶部２４に記憶した申込書のイメージデータを表示する。
【００２４】
Ｓ３：申込書のイメージデータを送信した顧客端末１の制御部１８の指示によりタッチパネル入力付表示部１１は証明書を読取り位置にセットすることを誘導する証明書読取誘導画面を表示する。
この証明書読取誘導画面は「証明書を読取り位置にセットして開始ボタンを押してください。」等の文言および証明書の読取りを開始させる「開始」ボタン等で構成されたものである。
【００２５】
この証明書読取誘導画面にしたがって顧客は証明書を読取り位置にセットし、「開始」ボタンを押下するものとする。
「開始」ボタンの押下をタッチパネル入力付表示部１１で受け付けると制御部１８の指示により証明書スキャナ部１２は証明書を読取る。制御部１８は読取った証明書のイメージデータをオペレータ端末３へ送信する。
【００２６】
Ｓ４：オペレータ端末３の制御部２５は受信した証明書のイメージデータを記憶部２４に記憶させ、表示部２１は制御部２５の指示により記憶部２４に記憶した証明書のイメージデータを表示する。
また、オペレータ端末３の制御部２５は撮影部１５で撮影された顧客の画像を顧客端末３から受信し、表示部２１に顧客の画像を表示させる。
【００２７】
Ｓ５：契約書およびカードの発行が終了した旨の電文を受信したオペレータ端末３は表示部２１に表示した証明書のイメージデータに含まれる個人情報を塗り潰す操作を受け付ける。
ここで、証明書のイメージデータに含まれる個人情報を塗り潰す操作について説明する。
【００２８】
オペレータ端末３の表示部２１は図５に示す証明書確認画面５０を表示しているものとし、その証明書確認画面５０の一部を構成する証明書表示領域５１に顧客端末１の証明書スキャナ部１２で読取った証明書のイメージデータを表示する。例えば、証明書を自動車運転免許証とした場合、この証明書表示領域５１には顧客の氏名、生年月日、本籍、住所、交付年月日、免許の条件、免許証番号、および顔写真等が表示される。
【００２９】
オペレータ端末３の操作部２２は証明書表示領域５１に表示された本籍や交付年月日等の取引に必要ない個人情報のデータ領域を選択するオペレータの操作を受け付ける。例えば、図５（ａ）に示すように取引に必要としない個人情報が表示されている矩形領域をマウスでドラッグして選択する操作を操作部２２が受け付ける（領域指定手段）。
矩形領域を選択する操作を受け付けた後、マウスのボタンを開放する操作を操作部２２で受け付けると制御部２５は記憶部２４に記憶された証明書のイメージデータの選択された矩形領域を所定のデータに置き換え、図５（ｂ）で示すように証明書表示領域５１の選択された矩形領域が黒く（白く）塗り潰されるようにする（置換手段）。
【００３０】
また、証明書を自動車運転免許証等のように様式が決められているものとした場合、個人情報を表示した領域の座標および範囲を示す情報を予めオペレータ端末３の記憶部２４に記憶させておき、個人情報が表示されている矩形領域等を指定し（領域指定手段）、制御部２５は記憶部２４に記憶された証明書のイメージデータの指定された矩形領域を所定のデータに置き換え、図５（ｂ）で示すように証明書表示領域５１の選択された矩形領域が黒く（白く）塗り潰されるようにする（置換手段）ようにしてもよい。
【００３１】
このようにしてオペレータの操作により選択された領域に表示する情報、すなわち取引に必要ない個人情報を保存することができないようにする。これにより、該当する個人情報の内容を後から表示等により参照することができなくなる。
Ｓ６：個人情報を塗り潰す操作を受け付けると制御部２５は選択された矩形領域が所定のデータに置き換えられた証明書のイメージデータを記憶部２４から読み出し、その証明書のイメージデータ、契約日時、契約内容を示す情報等からなる契約処理の情報を運用管理サーバ４へ送信し、運用管理サーバ４は記憶部５に証明書のイメージデータを含む契約処理の情報を記憶させて契約取引を終了する。
【００３２】
Ｓ７：オペレータはオペレータ端末３の表示部２１に表示された申込書のイメージデータならびに証明書のイメージデータ、および顧客端末１の撮影部１５で撮影された顧客の画像等を確認し、本契約取引の審査を行う。
審査の結果、本取引の審査がＯＫとなるとオペレータ端末３の操作部２２で審査がＯＫとなったことによる操作ボタンの押下（ＯＫボタン押下）を受け付ける。その操作ボタンの押下を検知した制御部２５は審査がＯＫとなった旨の電文を顧客端末１へ送信する。
【００３３】
Ｓ８：審査がＯＫとなった旨の電文を受信した顧客端末１の制御部１８の指示により申込書読取印字部１３は契約書を印字してその契約書を発行する。
Ｓ９：契約書を発行すると制御部１８の指示によりカード発行部１４は顧客の氏名や顧客番号等を記録したカードを発行する。
契約書およびカードを発行すると制御部１８はその発行が終了した旨の電文をオペレータ端末３へ送信する。
【００３４】
なお、本実施例では、個人情報を塗り潰す操作を証明書のイメージデータを表示した後に行うこととしたが、顧客端末１が契約書およびカードを発行した後や、オペレータが行う審査が終了した直後に行うようにしてもよい。
また、本実施例では、証明書を自動車運転免許証として説明したが、顧客の身分を証明することができる健康保険証、外国人登録証明書やパスポート等としてもよい。
【００３５】
さらに、本実施例では、証明書のイメージデータに含まれる個人情報を塗り潰すようにしたが申込書のイメージデータに含まれる個人情報も塗り潰すようにしてもよい。
またさらに、本実施例は顧客が操作する顧客端末と係員が操作するオペレータ端末で構成される取引システムで説明したが、証明書のイメージデータを記憶部に記憶させる構成を有する相談システム、営業店システム、為替システム等にも適用することができるものである。
【００３６】
以上説明したように、本実施例では、オペレータ端末に表示される証明書のイメージデータに含まれる契約取引に不要な個人情報を保存することことができないようにすることにより、取引に必要ない個人情報が漏洩することを防止することができるという効果が得られる。
【図面の簡単な説明】
【００３７】
【図１】実施例における取引システムの構成を示すブロック図
【図２】実施例における顧客端末の構成を示すブロック図
【図３】実施例におけるオペレータ端末の構成を示すブロック図
【図４】実施例における取引処理を示すフローチャート
【図５】実施例における証明書確認画面の説明図
【符号の説明】
【００３８】
１    顧客端末
２    通信回線
３    オペレータ端末
４    運用管理サーバ
５    記憶部
１１  タッチパネル入力付表示部
１２  証明書スキャナ部
１３  申込書読取印字部
１４  カード発行部
１５  撮影部
１６、２３  通話部
１７、２４  記憶部
１８、２５  制御部
２１  表示部
２２  操作部
【図１】
2007334679.tif 000003
【図２】
2007334679.tif 000004
【図３】
2007334679.tif 000005
【図４】
2007334679.tif 000006
【図５】
2007334679.tif 000007